(57)【特許請求の範囲】
【請求項１】
一方の面を読み取る第１読取部と、
搬送経路に前記第１読取部より下流側に設けられ、前記第１読取部が前記搬送経路上に設けられた位置と当該第２読取部が前記搬送経路上に設けられた位置との前記搬送経路上の距離は規定の長さを有する原稿長より短く、他方の面を読み取る第２読取部と、
前記規定の長さを有する原稿長より長い原稿が前記搬送経路を搬送される場合に、前記原稿が前記第２読取部に達するまでに前記第１読取部が前記原稿の一方の面を読み取った前記原稿の一方の面の搬送方向先端の既読領域における読取データから、前記原稿の一方の面に画像が有るか否かを判断する判断部と、
片面のみに画像が形成されており、且つ、前記片面の前記既読領域に相当する搬送方向の先端領域に少なくとも画像が形成されている原稿を読み取る際に、前記判断部が前記原稿の一方の面に画像が有ると判断した場合には、前記第１読取部による読み取りを継続し、前記第２読取部で読み取らないように制御し、前記判断部が前記原稿の一方の面に画像が無いと判断した場合には、前記第１読取部による読み取りを停止し、前記第２読取部で読み取るように制御する制御部と、
を備える画像読取装置。
【請求項２】
請求項１に記載の画像読取装置であって、
前記第１読取部及び前記第２読取部が読み取った読取データを記憶する記憶部と、
前記記憶部に記憶された前記読取データを削除する削除部と、を備え、
前記記憶部は、片面のみに画像が形成されている原稿を読み取る際に、前記第１読取部が前記原稿の一方の面の前記先端領域を読み取った読取データを記憶し、
前記削除部は、前記判断部が前記原稿の一方の面に画像が無いと判断した場合には、前記読取データを削除することを特徴とする画像読取装置。
【請求項３】
請求項１または請求項２に記載の画像読取装置であって、
片面のみに画像が形成されている複数の原稿を読み取る際に、前記制御部は１枚目の前記原稿における前記判断部のいずれの面に画像が有るかの判断に基づいて、２枚目以降の前記原稿を当該面に対応する読取部で読み取るように制御することを特徴とする画像読取装置。
【請求項４】
請求項１ないし請求項３のいずれか一項に記載の画像読取装置であって、
片面のみに画像が形成されている複数の原稿を読み取る際に、前記判断部が規定枚数以上連続して前記原稿の同じ面に画像が有ると判断した場合には、前記制御部はそれ以降の前記原稿を当該面に対応する読取部で読み取るように制御することを特徴とする画像読取装置。
【請求項５】
請求項１ないし請求項４のいずれか一項に記載の画像読取装置であって、
前記第１読取部は、原稿の対応する面の前記先端領域を複数の領域に区分し、各領域における濃度を取得しており、
前記判断部は、前記第１読取部が読み取った前記先端領域の画像に予め定められた閾値以上の濃度を有する領域が規定個数以上含まれている場合に、前記原稿の一方の面に画像が有ると判断することを特徴とする画像読取装置。
【請求項６】
請求項５に記載の画像読取装置であって、
前記第１読取部が読み取った画像に含まれる各領域の濃度が前記閾値以上である場合には第１領域と分類し、前記取得濃度が前記閾値未満である場合には第２領域と分類する分類部を備え、
前記判断部は、前記第１読取部が読み取った画像に前記第１領域が前記規定個数以上含まれている場合に、前記原稿の一方の面に画像が有ると判断することを特徴とする画像読取装置。
【請求項７】
請求項１ないし請求項６のいずれか一項に記載の画像読取装置であって、
更に、
片面のみに画像が形成されている原稿を読み取るモードを設定する片面読取モード設定部を備えることを特徴とする画像読取装置。
【請求項８】
一方の面を読み取る第１読取部と、搬送経路に前記第１読取部より下流側に設けられ、前記第１読取部が前記搬送経路上に設けられた位置と当該第２読取部が前記搬送経路上に設けられた位置との前記搬送経路上の距離は規定の長さを有する原稿長より短く、他方の面を読み取る第２読取部と、を備える画像読取装置を用いて片面のみに画像が形成されており、前記片面の搬送方向の先端領域に少なくとも画像が形成されているとともに、前記規定の長さを有する原稿長より長い原稿を読み取る際に、前記画像読取装置に用いられるコンピュータに、
前記搬送経路を搬送される原稿が第２読取部に達するまでに第１読取部を用いて前記原稿の一方の面の前記先端領域を含む領域を読み取る読取処理と、
前記第１読取部を用いて前記原稿の一方の面を読み取った読取データから、前記原稿の一方の面に画像が有るか否かを判断する判断処理と、
前記判断処理において前記原稿の一方の面に画像が有ると判断した場合には、前記第１読取部による読み取りを継続し、前記第２読取部で読み取らないように制御し、前記判断部が前記原稿の一方の面に画像が無いと判断した場合には、前記第１読取部による読み取りを停止し、前記第２読取部で読み取るように制御する制御処理と、
を実行させる画像読取装置用のプログラム。
【発明の詳細な説明】
【技術分野】
【０００１】
本発明は、原稿の両面を読み取り可能な画像読取装置において、一方の面に画像が形成された原稿を読み取る技術に関する。
【背景技術】
【０００２】
従来から、プリンタなどの画像読取装置では、原稿を搬送経路に搬送させて原稿を読み取る際に、１回の搬送で原稿の片面を読み取る片面読取機能に加えて、１回の搬送で原稿の両面を読み取る両面読取機能を備える技術が知られている（例えば、特許文献１）。この画像読取装置では、原稿の一方の面を読み取る読取部と、原稿の他方の面を読み取る読取部を別々に有している。そして、両方の面に画像が形成されている原稿を読み取る際には、両面読取機能を用いて原稿の各々の面を対応する読取部で読み取る。また、片方の面に画像が形成されている原稿を読み取る際には、片面読取機能を用いて原稿の画像が形成されている面を対応する読取部で読み取る。
【０００３】
このような画像読取装置では、片方の面に画像が形成されている原稿を読み取る際に、原稿の搬送経路に対して原稿の画像が形成されている面をいずれの向きにセットすれば良いかが不明となることがある。特に、両面読取機能を備えた画像読取装置において、両面読取機能を多用している場合には原稿をセットする向きが不明となりやすい。上記従来技術には、両面読取機能を備えた画像読取装置において、片方の面に画像が形成されている原稿を読み取る際にも、両面読取機能を用いて原稿の両面を読み取る内容が記載されている。これにより、原稿がセットされる向きに関わらず、原稿の画像が形成されている面を読み取ることができるという。
【先行技術文献】
【特許文献】
【０００４】
【特許文献１】特開２００５−１９１８８５号公報
【発明の概要】
【発明が解決しようとする課題】
【０００５】
上記従来技術では、片方の面に画像が形成されている原稿を読み取る際に、原稿の両面を読み取る必要がある。特に、上記従来技術では、原稿の各々の面を読み取る読取部が原稿の搬送経路の等しい位置に配置されている場合、原稿を読み取る際に、２つの読取部で同時に原稿を読み取る必要があり、読取処理における装置の負担が増大してしまう問題が生じていた。
【０００６】
本明細書では、片方の面に画像が形成されている原稿を読み取る際の読取処理における装置の負担を軽減する技術を開示する。
【課題を解決するための手段】
【０００７】
本明細書によって開示される画像読取装置は、原稿の一方の面を読み取る第１読取部と、前記原稿が搬送される搬送経路に前記第１読取部より下流側に設けられ、前記原稿の他方の面を読み取る第２読取部と、前記搬送経路を搬送される原稿が前記第２読取部に達するまでに前記第１読取部が前記原稿の一方の面を読み取った読取データから、前記原稿の一方の面に画像が有るか否かを判断する判断部と、片面のみに画像が形成されている原稿を読み取る際に、前記判断部が前記原稿の一方の面に画像が有ると判断した場合には、前記第１読取部で読み取り、前記第２読取部で読み取らないように制御し、前記判断部が前記原稿の他方の面に画像が有ると判断した場合には、前記第１読取部による読み取りを停止し、前記第２読取部で読み取るように制御する制御部と、を備える。
【０００８】
また、上記の画像読取装置では、前記第１読取部及び前記第２読取部が読み取った読取データを記憶する記憶部と、前記記憶部に記憶された前記読取データを削除する削除部と、を備え、片面のみに画像が形成されている原稿を読み取る際に、前記判断部が前記原稿の他方の面に画像が有ると判断した場合には、前記削除部は前記第１読取部が読み取った読取データを削除する構成としても良い。
【０００９】
また、上記の画像読取装置では、片面のみに画像が形成されている複数の原稿を読み取る際に、前記制御部は１枚目の前記原稿における前記判断部のいずれの面に画像が有るかの判断に基づいて、２枚目以降の前記原稿を当該面に対応する読取部で読み取るように制御する構成としても良い。
【００１０】
また、上記の画像読取装置では、片面のみに画像が形成されている複数の原稿を読み取る際に、前記判断部が規定枚数以上連続して前記原稿の同じ面に画像が有ると判断した場合には、前記制御部はそれ以降の前記原稿を当該面に対応する読取部で読み取るように制御する構成としても良い。
【００１１】
また、上記の画像読取装置では、前記第１読取部は、原稿の対応する面を複数の領域に区分し、各領域における濃度を取得しており、前記判断部は、前記第１読取部が読み取った画像に予め定められた閾値以上の濃度を有する領域が規定個数以上含まれている場合に、前記原稿の一方の面に画像が有ると判断する構成としても良い。
【００１２】
また、上記の画像読取装置では、前記第１読取部が読み取った画像に含まれる各領域の濃度が前記閾値以上である場合には第１領域と分類し、前記取得濃度が前記閾値未満である場合には第２領域と分類する分類部を備え、前記判断部は、前記第１読取部が読み取った画像に前記第１領域が前記規定個数以上含まれている場合に、前記原稿の一方の面に画像が有ると判断する構成としても良い。
【００１３】
また、上記の画像読取装置では、片面のみに画像が形成されている原稿を読み取るモードを設定する片面読取モード設定部を備える構成としても良い。
【００１４】
なお、この発明は、上記の画像読取装置の他、これらの装置の機能を実現するためのコンピュータプログラム、そのプログラムを記録した記録媒体等の種々の態様で実現することができる。
【発明の効果】
【００１５】
本明細書によって開示される画像読取装置では、片面のみに画像が形成されている原稿を読み取る際に、判断部が原稿の一方の面に画像が有ると判断した場合には、原稿の搬送に亘って第１読取部が原稿を読み取り、第２読取部は原稿を読み取らない。また、判断部が原稿の一方の面に画像が無いと判断した場合には、原稿が第２読取部に搬送されるまでは、第１読取部が原稿を読み取り、原稿が第２読取部に搬送されてからは、第１読取部から第２読取部に切り替え、第２読取部が原稿を読み取る。この画像読取装置によれば、片面のみに画像が形成されている原稿を読み取る際に、第１読取部と第２読取部で同時に原稿を読み取ることなく原稿のいずれの面に画像が形成されているかを判断することができ、第１読取部と第２読取部で同時に原稿を読み取る場合に比べて、読取処理における装置の負担を軽減することができる。
【図面の簡単な説明】
【００１６】
【図１】複合機１の原稿カバーを上げた状態を示す図
【図２】複合機１の画像読取装置３の概略的な断面図
【図３】複合機１の電気的構成を概略的に示すブロック図
【図４】実施形態１の制御処理を示すフローチャート
【図５】読取データの輝度分布を概略的に示す図
【図６】実施形態２の制御処理を示すフローチャート
【図７】実施形態２の制御処理を示すフローチャート
【図８】実施形態３の制御処理を示すフローチャート
【００１７】
＜実施形態１＞
実施形態１を、図１ないし図５を用いて説明する。
【００１８】
１．複合機の機械的構成
図１は、本発明の画像形成装置の一例である複合機１の外観を示す斜視図であり、原稿カバー４８を上げた開状態における複合機１の外観を示す。この複合機１は、プリンタ機能、スキャナ機能、コピー機能、ファクシミリ機能などを備えた多機能周辺装置である。図２は、原稿カバー４８を下げた閉姿勢における画像読取装置３の断面図である。
【００１９】
図１に示すように、複合機１は、本体部２の上方に原稿を読み取るための画像読取装置３を備えている。画像読取装置３は、後述する読取部３０、原稿自動送り装置（ＡＤＦ）４０、及び原稿載置部５０等を含む。
【００２０】
原稿載置部５０は、台枠５１、透明なガラス板からなる第１プラテンガラス５２、第２プラテンガラス５３を含む。原稿載置部５０は、原稿カバー４８によって開閉可能に覆われている。
【００２１】
原稿カバー４８は、原稿載置部５０を覆う閉姿勢と原稿載置部５０を開放する開姿勢とに回動可能であり、複合機１の本体部２の後側（操作部１１、表示部１２等が設けられる側を前側とする）に連結されている。原稿カバー４８上に、ＡＤＦ４０が設けられている。
【００２２】
図２に示すように、ＡＤＦ４０は、ＡＤＦカバー４１、原稿トレイ４２、押圧部材４３、４４、各種ローラ４６、排紙トレイ４７、透明なガラス板からなる第３プラテンガラス５５、読取部６０、および原稿センサ７０〜７２等を含む。
【００２３】
ＡＤＦ４０には、ローラ４６等によって原稿が原稿トレイ４２から排紙トレイ４７へと搬送される経路である搬送路４５が設けられており、搬送路４５に隣接して読取部６０（第１読取部の一例）及び読取部３０（第２読取部の一例）が配置されている。
【００２４】
読取部６０は、搬送路４５において読取部３０よりも上流側（つまり、原稿トレイ４２側）に配置されており、搬送路４５を搬送される原稿が第３プラテンガラス５５上を通過する際に当該原稿を読み取る。読取部６０は、略円状に設けられた搬送路４５の内側に配置されており、搬送路４５を搬送される原稿の搬送路４５内側の面（一方の面に相当、以下、裏面という。）を読み取る。押圧部材４３は、第３プラテンガラス５５を介して読取部６０と対向して配置されており、第３プラテンガラス５５上を通過する原稿が第３プラテンガラス５５から浮かないように、原稿を第３プラテンガラス５５に押圧する。
【００２５】
読取部３０は、搬送路４５において読取部６０よりも下流側（つまり、排紙トレイ４７側）に配置されており、搬送路４５を搬送される原稿が第２プラテンガラス５３上を通過する際に当該原稿を読み取る。読取部３０は、略円状に設けられた搬送路４５の外側に配置されており、搬送路４５を搬送される原稿の搬送路４５外側の面（他方の面に相当、以下、表面という。）を読み取る。押圧部材４４は、第２プラテンガラス５３を介して読取部３０と対向して配置されており、第２プラテンガラス５３上を通過する原稿が第２プラテンガラス５３から浮かないように、原稿を第２プラテンガラス５３に押圧する。
【００２６】
原稿センサ７０は、原稿トレイ４２に隣接して配置されており、原稿トレイ４２の下側に設けられた軸７０Ａ回りに回転可能に支持されている。原稿センサ７０は、後述する中央処理装置２０に接続されており、中央処理装置２０は原稿センサ７０から出力される信号に基づいて原稿トレイ４２に原稿が載置されたことを検出する。原稿センサ７１は、搬送路４５において読取部６０よりも上流側に読取部６０に近接して配置されている。また、原稿センサ７２は、搬送路４５において読取部６０よりも下流側であって読取部３０よりも上流側に読取部３０に近接して配置されている。
【００２７】
原稿センサ７１、７２は、中央処理装置２０に接続されている。中央処理装置２０は原稿センサ７１から出力される信号に基づいて、搬送路４５を搬送される原稿が読取部６０に近接したことを検出する。また、中央処理装置２０は原稿センサ７２から出力される信号に基づいて、搬送路４５を搬送される原稿が読取部３０に近接したことを検出する。
【００２８】
ＡＤＦ４０では、原稿センサ７０によって原稿トレイ４２に原稿が載置されたことを検知すると、ローラ４６を駆動して原稿トレイ４２に載置されている原稿を一枚ずつ搬送路４５に搬送する。搬送路４５に搬送された原稿は、搬送路４５上に位置する第３プラテンガラス５５及び第２プラテンガラス５３上を通過し、排紙トレイ４７に排出される。
【００２９】
この際、読取部６０は、原稿センサ７１を介して原稿が読取部６０に達したことを検知し、第３プラテンガラス５５上を通過する原稿の裏面を読み取る。また、読取部３０は、原稿センサ７２を介して原稿が読取部３０に達したことを検知し、第２プラテンガラス５３上を通過する原稿の表面を読み取る。搬送路４５において、読取部３０は読取部６０よりも下流側に配置されていることから、読取部６０が原稿の読み取りを開始してから搬送路４５を搬送される原稿が読取部６０から読取部３０までを移動するのに必要な所定時間後に、読取部３０は原稿の読み取りを開始する。
【００３０】
次に、読取部３０、６０の構造について説明する。読取部３０、６０は同一の構造をしており、ここでは読取部３０を用いて説明を行い、重複した説明を省略する。
読取部３０は、ＣＩＳ（Ｃｏｎｔａｃｔ  Ｉｍａｇｅ  Ｓｅｎｓｏｒ）を用いた、いわゆるＣＩＳ方式で第２プラテンガラス５３上を通過する原稿を読み取る。読取部３０は、複数の受光素子が図２の紙面垂直方向に直線状に配列されているリニアイメージセンサ３３、ＲＧＢ３色の発光ダイオードなどで構成される光源３１、原稿で反射された光源３１からの反射光をリニアイメージセンサ３３の各受光素子に結像させるロッドレンズアレイ３２、これらが搭載されるキャリッジ３４、およびキャリッジ３４を搬送する図示しない搬送機構を含む。
【００３１】
光源３１は、リニアイメージセンサ３３に対向する読取領域Ｈに光を照射する。リニアイメージセンサ３３は、当該光が読取領域Ｈで反射して各受光素子に結像した反射光の輝度や色度（濃度の一例）を検出する。読取領域Ｈには搬送路４５が含まれており、リニアイメージセンサ３３は、透明な第２プラテンガラス５３を介して、搬送路４５を搬送される原稿が第２プラテンガラス５３上を通過する際に、当該原稿の第２プラテンガラス５３と接する面で反射される反射光を検出する。
【００３２】
各受光素子は、読取領域Ｈを受光素子の個数で割った単位読取領域から反射される反射光を検出するとともに、所定期間毎に検出を繰り返す。そのため、搬送路４５を搬送される原稿が第２プラテンガラス５３上を通過する際に、搬送路４５の搬送方向と直交する方向には、受光素子の個数の単位読取データが検出され、搬送路４５の搬送方向には、原稿の搬送速度と受光素子の所定期間により決定される検出回数の単位読取データが検出される。つまり、受光素子は、原稿の第２プラテンガラス５３と接する面を受光素子の個数及び検出回数で区分した単位読取領域から反射される反射光を検出しているということができ、リニアイメージセンサ３３は、各受光素子が検出したこれらの単位読取データを含む読取データを読み取る。
なお、読取部３０はＣＩＳ方式に限られず、ＣＣＤ（Ｃｈａｒｇｅ  Ｃｏｕｐｌｅｄ  Ｄｅｖｉｃｅ：電荷結合素子）イメージセンサを用いた、いわゆるＣＣＤ方式であってもよい。また、読取部３０及び６０の構造は、必ずしも同一の構造である必要はない。読取部３０又は読取部６０のいずれか一方がＣＩＳであって、他方がＣＣＤであってもよい。
【００３３】
さらに、複合機１の前側には、各種のボタンからなり、ユーザからの操作指令を受け付ける操作部１１、複合機１の状態を表示する液晶ディスプレイからなる表示部１２が設けられている。
【００３４】
２．複合機の電気的構成
図３は、複合機１の電気的構成を概略的に示すブロック図である。図３に示すように、複合機１は、複合機１の各部を制御するＡＳＩＣ（特定用途向け集積回路）１０を含む。ＡＳＩＣ１０は、中央処理装置（以下「ＣＰＵ」という）２０、ＲＯＭ２４、ＲＡＭ（記憶部の一例）２５、デバイス制御部２６、画像処理部２７、２８を備え、これらに操作部１１、表示部１２、読取部３０、６０、ローラ４６（図２参照）を駆動するモータＭ及び駆動回路１６、原稿センサ７０〜７２などが接続されている。
【００３５】
ＲＯＭ２４には、複合機１の動作を制御するための各種のプログラムが記憶されており、ＣＰＵ２０は、ＲＯＭ２４から読み出したプログラムに従って、判断部２１、制御部２２、削除部２３、片面読取モード設定部１９等として機能し、各部の制御を行う。
【００３６】
デバイス制御部２６は、読取部３０、６０に接続されており、ＣＰＵ２０からの命令に基づいて、光源３１、６１の点灯、及びリニアイメージセンサ３３、６３による読取データの読み取りを制御する信号を読取部３０、６０に送信する。読取部３０、６０で読み取られたアナログデータである読取データは、Ａ／Ｄ変換回路を有するアナログフロントエンド（以下「ＡＦＥ」という）３５、６５でデジタル化処理された後に、画像処理部２７、２８に送信される。
【００３７】
画像処理部２７、２８は、ＡＦＥ３５、６５を介して読取部３０、６０から読取データを受信すると、ＣＰＵ２０からの命令に基づいて光量調整やシェーディング補正等の画像処理を行い、読取データをＲＡＭ２５に記憶する。
【００３８】
また、図５に示すように、画像処理部２８は、ＣＰＵ２０からの命令に基づいて、読取部６０から受信した読取データの統計処理を実行する。画像処理部２８には、予め閾値Ｋが設定されており、画像処理部２８は、読取データを構成する各単位読取データの輝度を読み出し、閾値Ｋ以上の輝度を有する（つまり、閾値Ｋ未満の着色剤濃度を有する）単位読取データと、閾値Ｋ未満の輝度を有する（つまり、閾値Ｋ以上の着色剤濃度を有する）単位読取データを区分する。
【００３９】
さらに、画像処理部２８は、ＣＰＵ２０からの命令に基づいて、閾値Ｋ未満の輝度を有する単位読取データの個数（つまり、当該単位読取データが検出された単位読取領域の個数）を計数する処理を実行する。この際、画像処理部２８は、分類部２９として機能し、閾値Ｋを用いて読取データの２値化処理を行う。２値化処理において、画像処理部２８は、閾値Ｋ以上の輝度を有する単位読取データの輝度を白輝度に変換し、閾値Ｋ未満の輝度を有する単位読取データの輝度を黒輝度に変換する。
【００４０】
画像処理部２８は、黒輝度に変換された単位読取データの個数を計数し、閾値Ｋ未満の輝度を有する単位読取データの個数を計数する。画像処理部２８は、単位読取データの個数を計数後、単位読取データの輝度を変換前の輝度に戻し、当該処理を終了する。
【００４１】
３．読取処理
次に、図４ないし図５を参照して、複合機１のＡＤＦ４０を用いて片面のみに画像が形成されている複数枚の原稿を読み取る場合の、ＣＰＵ２０における処理について説明する。
【００４２】
図４は、ＣＰＵ２０が所定のプログラムに従って実行する本実施形態のフローチャートを示す。ＣＰＵ２０は、ユーザによって複合機１の原稿トレイ４２に原稿が載置され、操作部１１または入力可能な表示部１２を介して、片面のみに画像が形成されている原稿を読み取る読取モードが設定され、読取指示が入力されると、片面読取モード部として機能し、処理を開始する（Ｓ１）。
ＣＰＵ２０は、原稿センサ７０を用いて原稿トレイ４２に原稿が載置されているか否かを確認し（Ｓ２）、原稿トレイ４２に原稿が載置されていない場合には処理を終了する（Ｓ２：ＮＯ）。
【００４３】
一方、ＣＰＵ２０は、原稿トレイ４２に原稿が載置されている場合（Ｓ２：ＹＥＳ）、原稿の搬送を開始する（Ｓ４）。ＣＰＵ２０は、モータＭ及び駆動回路１６を用いてローラ４６（図２参照）を駆動し、原稿を搬送路４５へと搬送する。
【００４４】
原稿トレイ４２に複数の原稿が載置されている場合、ローラ４６は最も下に載置された原稿から搬送路４５へと搬送する。また、ローラ４６は、原稿トレイ４２に載置された状態の裏面が略円状の搬送路４５の内側を向き、原稿トレイ４２に載置された状態の表面が略円状の搬送路４５の外側を向くように、原稿を搬送する。そのため、読取部６０は、搬送路４５を搬送される原稿の裏面を読み取ることが可能であり、読取部３０は、搬送路４５を搬送される原稿の表面を読み取ることが可能である。
【００４５】
ＣＰＵ２０は、原稿の搬送を開始すると、原稿センサ７１、７２を用いて搬送路４５を搬送される原稿の位置を確認する。ＣＰＵ２０は、原稿の搬送開始後、原稿センサ７１を用いて原稿の搬送方向（図２矢印参照）先端が読取部６０の読取領域Ｈに到達したか否かを確認する（Ｓ６：ＮＯ）。ＣＰＵ２０は、読取部６０の読取領域Ｈに原稿が到達した場合（Ｓ６：ＹＥＳ）、読取部６０を用いて原稿の裏面の読み取る（Ｓ８）。
【００４６】
次にＣＰＵ２０は、原稿が読取部６０の読取領域Ｈに到達後、原稿センサ７２を用いて原稿の搬送方向先端が読取部３０の読取領域Ｈに到達したか否かを確認する（Ｓ１０）。ＣＰＵ２０は、読取部３０の読取領域Ｈに原稿が到達するまで、読取部６０を用いた原稿の読み取りを続ける（Ｓ１０：ＮＯ、Ｓ８）。
【００４７】
一方、ＣＰＵ２０は、読取部３０の読取領域Ｈに原稿が到達すると（Ｓ１０：ＹＥＳ）、読取部６０を用いた原稿の読み取りを中断し、判定処理（Ｓ１２）を実行する。この際、ＣＰＵ２０は判断部２１として機能し、画像処理部２８と共働して、図５に示すように、読取部６０がＳ８で読み取った読取データのうち、閾値Ｋ未満の輝度を有する単位読取データの個数（図５の斜線部に相当）を、予めＲＯＭ２４に記憶されている規定個数Ｆと比較する。
【００４８】
ＣＰＵ２０は、当該読取データに閾値Ｋ未満の輝度を有する単位読取データが規定個数Ｆ以上含まれている場合に、原稿の裏面に画像が有ると判断する（Ｓ１４：ＹＥＳ）。この際、ＣＰＵ２０は制御部２２として機能し、読取部６０を用いた原稿の読み取りを継続する（Ｓ１６）。ＣＰＵ２０は、原稿の搬送方向先端が読取部６０の読取領域Ｈを通過するまで読取部６０を用いた原稿の読み取りを継続する（Ｓ１８：ＮＯ）。ＣＰＵ２０は、原稿が読取部６０の読取領域Ｈを通過した場合（Ｓ１８：ＹＥＳ）、読取部６０を用いた原稿の読み取りを終了し、Ｓ８及びＳ１６で読み取った読取データを原稿の読取結果としてＲＡＭ２５に記憶する。
【００４９】
一方、ＣＰＵ２０は、当該読取データに閾値Ｋ未満の輝度を有する単位読取データが規定個数Ｆ未満しか含まれていない場合に、原稿の裏面に画像が無いと判断する（Ｓ１４：ＮＯ）。この際、ＣＰＵ２０は制御部２２として機能し、読取部６０を用いた原稿の読み取りを停止する（Ｓ２０）。また、ＣＰＵ２０は削除部２３として機能し、読取部６０がＳ８で読み取った読取データを削除する（Ｓ２２）。さらに、ＣＰＵ２０は制御部２２として機能し、読取部３０を用いて原稿の表面を読み取る（Ｓ２４）。ＣＰＵ２０は、原稿の搬送方向先端が読取部３０の読取領域Ｈを通過するまで読取部３０を用いた原稿の読み取りを継続する（Ｓ２６：ＮＯ）。ＣＰＵ２０は、原稿が読取部３０の読取領域Ｈを通過した場合（Ｓ２６：ＹＥＳ）、読取部３０を用いた原稿の読み取りを終了し、Ｓ２６で読み取った読取データを原稿の読取結果としてＲＡＭ２５に記憶する。
【００５０】
ＣＰＵ２０は、読取部３０、６０を用いた原稿の読み取りを終了し（Ｓ１８、Ｓ２６：ＹＥＳ）、１枚目の原稿の読み取りを終了すると、原稿センサ７０を用いて原稿トレイ４２に次の原稿が載置されているか否かを確認する（Ｓ２８）。ＣＰＵ２０は、原稿トレイ４２に原稿が載置されていない場合（Ｓ２８：ＮＯ）、処理を終了する。一方、ＣＰＵ２０は、原稿トレイ４２に次の原稿が載置されている場合（Ｓ２８：ＹＥＳ）、Ｓ４に戻り、上記の処理を繰り返す。
【００５１】
４．本実施形態の効果
（１）本実施形態の複合機１では、片面のみに画像が形成されている原稿を読み取る際に、ＣＰＵ２０が原稿の裏面に画像が有ると判断した場合には、原稿の搬送に亘って読取部６０が原稿を読み取り、読取部３０は原稿を読み取らない。また、ＣＰＵ２０が原稿の裏面に画像が無いと判断した場合には、原稿が読取部３０に搬送されるまでは読取部６０が原稿を読み取り、原稿が読取部３０に搬送されてからは、原稿を読み取る読取部を読取部６０から読取部３０に切り換え、その後、読取部３０が原稿を読み取る。この複合機１によれば、片面のみに画像が形成されている原稿を読み取る際に、読取部３０と読取部６０で同時に原稿を読み取ることなく原稿のいずれの面に画像が形成されているかを判断することができ、読取部３０と読取部６０で同時に原稿を読み取って原稿のいずれの面に画像が形成されているかを判断する従来の場合に比べて、複合機１における装置の負担を軽減することができる。
【００５２】
（２）本実施形態の複合機１では、ＣＰＵ２０が原稿の裏面に画像が無いと判断した場合、読取部６０がＳ８で読み取った読取データを削除する。この場合、読取部６０がＳ８で読み取った読取データは、ＲＯＭ２４に記憶される読取結果に用いられない。この複合機１によれば、上記の場合に読取部６０がＳ８で読み取った読取データを削除することで、読取部６０がＳ８で読み取った読取データを削除しない場合に比べて、ＲＡＭ２５に必要な容量を縮小することができる。
【００５３】
（３）本実施形態の複合機１では、読取部６０がＳ８で読み取った読取データに閾値Ｋ未満の輝度を有する単位読取データが規定個数Ｆ以上含まれている場合に、ＣＰＵ２０は原稿の裏面に画像が形成されていると判断するので、規定個数Ｆという基準を用いて原稿のいずれの面に原稿が形成されているかを精度よく判断することができる。この際、画像処理部２８が当該読取データに２値化処理をすることで、閾値Ｋ以上の輝度を有する単位読取データと閾値Ｋ未満の輝度を有する単位読取データを明確に区分することができ、２値化処理をしない場合に比べて、閾値Ｋ以上の未満を有する単位読取データの個数を正確に計数することができる。
【００５４】
＜実施形態２＞
実施形態２を、図６及び図７を用いて説明する。本実施形態では、ＡＤＦ４０を用いて片面のみに画像が形成されている複数枚の原稿を読み取る際に、１枚目の原稿に対する判断処理の結果（つまり、１枚目の原稿の読取面）に基づいて２枚目以降の原稿の読取処理を実行する点で、実施形態１と異なる。以下の説明では、実施形態１と同一の内容については重複した記載を省略する。
【００５５】
１．読取処理
図６及び図７は、ＣＰＵ２０が所定のプログラムに従って実行する本実施形態のフローチャートを示す。図６に示すように、ＣＰＵ２０は、１枚目の原稿の読み取りを終了すると、原稿センサ７０を用いて原稿トレイ４２に次の原稿が載置されているか否かを確認し（Ｓ２８）、原稿トレイ４２に次の原稿が載置されている場合（Ｓ２８：ＹＥＳ）、２枚目以降の読取処理へと処理を進める（Ｓ３０）。
【００５６】
図７に示すように、２枚目以降の読取処理において、ＣＰＵ２０は、１枚目の原稿の読取面を確認する（Ｓ３２）。この際、ＣＰＵ２０は制御部２２として機能し、１枚目の原稿に対して読取部３０を用いた原稿の読み取りがあったか否かを確認する。
【００５７】
ＣＰＵ２０は、１枚目の原稿に対して読取部３０を用いた原稿の読み取りが無く、１枚目の読取面が裏面である場合（Ｓ３２：ＮＯ）、読取部６０を用いて原稿の裏面を読み取り（Ｓ３４）、読取部３０を用いて原稿の表面を読み取らない。ＣＰＵ２０は、原稿が読取部６０の読取領域Ｈを通過するまで読取部６０を用いた原稿の読み取りを継続し（Ｓ３６：ＮＯ）、原稿が読取部３０の読取領域Ｈを通過した場合（Ｓ３６：ＹＥＳ）、原稿の読み取りを終了する。
【００５８】
一方、ＣＰＵ２０は、１枚目の原稿に対して読取部３０を用いた原稿の読み取りが有り、１枚目の読取面が表面である場合（Ｓ３２：ＹＥＳ）、読取部３０を用いて原稿の表面を読み取り（Ｓ３８）、読取部３０を用いて原稿の裏面を読み取らない。ＣＰＵ２０は、原稿が読取部３０の読取領域Ｈを通過するまで読取部３０を用いた原稿の読み取りを継続し（Ｓ４０：ＮＯ）、原稿が読取部３０の読取領域Ｈを通過した場合（Ｓ４０：ＹＥＳ）、原稿の読み取りを終了する。
【００５９】
ＣＰＵ２０は、読取部３０、６０を用いた原稿の読み取りを終了し（Ｓ３６、Ｓ４０：ＹＥＳ）、２枚目の原稿の読み取りを終了すると、原稿センサ７０を用いて原稿トレイ４２に次の原稿が載置されているか否かを確認する（Ｓ２８）。ＣＰＵ２０は、原稿トレイ４２に原稿が載置されていない場合（Ｓ２８：ＮＯ）、処理を終了する。一方、ＣＰＵ２０は、原稿トレイ４２に次の原稿が載置されている場合（Ｓ２８：ＹＥＳ）、Ｓ３２に戻り、上記の処理を繰り返す。
【００６０】
２．本実施形態の効果
本実施形態の複合機１では、片面のみに画像が形成されている複数の原稿を読み取る際に、２枚目以降の原稿に対しては、１枚目の原稿の読取面と等しい面を読み取るようにする。つまり、２枚目以降の原稿に対しては、１枚目の原稿を読み取った読取部で２枚目以降の原稿を読み取るようにする。そのため、この複合機１では、２枚目以降の原稿に対して、いずれの面に画像が有るかを判断する必要がなく、複合機１における装置の負担を軽減することができる。
【００６１】
一般に、片面のみに画像が形成されている複数の原稿を、ＡＤＦ４０を用いて読み取る場合、ユーザは画像が形成されている面を揃えて原稿トレイ４２に載置することが多い。この場合、原稿の画像が形成されている面が同一の読取部で読み取られるように原稿が搬送路４５に搬送される。そのため、上記のように、２枚目以降の原稿に対して、１枚目の原稿の読取面と等しい面を読み取るようにしても、原稿の画像が形成されていない面が読み取られる読み取りの間違いが発生することが少ない。
【００６２】
＜実施形態３＞
実施形態３を、図８を用いて説明する。本実施形態では、複合機１のＡＤＦ４０を用いて片面のみに画像が形成されている複数枚の原稿を読み取る際に、先に読み取られた複数枚の原稿に対する判断処理の結果に基づいてその後の原稿を読み取る点で、実施形態１及び実施形態２と異なる。以下の説明では、実施形態１及び実施形態２と同一の内容については重複した記載を省略する。
【００６３】
１．読取処理
図８は、ＣＰＵ２０が所定のプログラムに従って実行する本実施形態のフローチャートを示す。図８は、図６に記載の２枚目以降の読取処理（Ｓ３０）の別例である。
ＣＰＵ２０は、読取処理を開始してから読み取られた原稿であって、現在読み取りの対象としている原稿のＮ枚前までに読み取られた原稿の読取面を確認する（Ｓ４２、Ｓ４４）。この際、ＣＰＵ２０は制御部２２として機能する。ここで「Ｎ」とは、１を除く自然数であり、ユーザ等によって予め設定されている規定枚数を意味する。
【００６４】
ＣＰＵ２０は、読取処理を開始してから現在読み取りの対象としている原稿の前までに、Ｎ枚の原稿が読み取られていない場合、あるいは、Ｎ枚以上の原稿が読み取られている場合であっても、当該原稿がＮ枚以上連続して同じ読取部で読み取られていない場合（Ｓ４２：ＮＯ、Ｓ４４：ＮＯ）、Ｓ２に戻り、Ｓ２ないしＳ２８の処理を実行する（図６参照）。
【００６５】
一方、ＣＰＵ２０は、読取処理を開始してから現在読み取りの対象としている原稿の前までに、Ｎ枚以上の原稿が読み取られており、当該原稿がＮ枚以上連続して読取部６０を用いて読み取られている場合（Ｓ４２：ＹＥＳ）、読取部６０を用いて原稿の裏面を読み取り（Ｓ３４）、読取部３０を用いて原稿の表面を読み取らない。
【００６６】
また、ＣＰＵ２０は、読取処理を開始してから現在読み取りの対象としている原稿の前までに、Ｎ枚以上の原稿が読み取られており、当該原稿がＮ枚以上連続して読取部３０を用いて読み取られている場合（Ｓ４２：ＮＯ、Ｓ４４：ＹＥＳ）、読取部３０を用いて原稿の表面を読み取り（Ｓ３８）、読取部３０を用いて原稿の裏面を読み取らない。
【００６７】
２．本実施形態の効果
本実施形態の複合機１では、片面のみに画像が形成されている複数の原稿を読み取る際に、Ｎ枚以上連続して原稿が同じ読取部で読み取られた場合、すなわち、ＣＰＵ２０がＮ枚連続して原稿の同じ側の面に画像があると判断した場合には、それ以降の原稿については当該面に対応する読取部（つまり、Ｎ枚以上連続して原稿を読み取った読取部）で読み取るようする。そのため、この複合機１では、それ以降の原稿に対して、いずれの面に画像が有るかを判断する必要がなく、複合機１における装置の負担を軽減することができる。
【００６８】
＜他の実施形態＞
本発明は上記記述及び図面によって説明した実施形態に限定されるものではなく、例えば次のような種々の態様も本発明の技術的範囲に含まれる。
（１）上記実施形態では、複合機１を用いて説明を行ったが、本発明はこれに限られない。例えば、プリンタ機能、スキャナ機能、コピー機能、ファクシミリ機能の少なくとも１つの機能を備えた装置であっても良い。
【００６９】
（２）上記実施形態では、複合機１が１つのＡＳＩＣ１０を有し、判断部２１、制御部２２、削除部２３等の機能をＡＳＩＣ１０が有する１つのＣＰＵ２０によって実行する例を用いて示したが、本発明はこれに限られない。例えば、お互いに異なるＣＰＵ、ＡＳＩＣなどによって各部が構成されても良い。
【００７０】
（３）上記実施形態では、原稿センサ７１、７２を用いて搬送路４５を搬送される原稿の位置を検出する例を用いて説明を行ったが、必ずしも原稿センサ７１、７２は必要ない。例えば、原稿トレイ４２から読取部３０、６０の読取領域Ｈまでの距離が解かっており、モータＭ及び駆動回路１６がローラ４６を回転させる回転速度に基づいて搬送開始から各読取位置までの搬送必要時間が解かっている場合には、その搬送必要時間に基づいて搬送路４５を搬送される原稿の位置を特定しても良い。
【００７１】
（４）上記実施形態では、読取データに含まれる閾値Ｋ未満の輝度を有する単位読取データの個数を計数する際に、当該読取データに対して２値化処理を行う例を用いて説明を行ったが、必ずしも２値化処理をする必要はない。例えば、読取データを構成する各単位読取データの輝度を読み出し、読み出した輝度を閾値Ｋと比較して、閾値Ｋ未満の輝度を有する単位読取データの個数を計数しても良い。
【００７２】
（５）上記実施形態では、原稿の裏面に画像が有るか否かを判断する際に、原稿の裏面を読み取った読取データを構成する単位読取データの輝度を閾値Ｋと比較する例を用いて説明を行ったが、これに限られない。例えば、読取データを構成する単位読取データの色度を対応する閾値と比較しても良い。
【符号の説明】
【００７３】
１：複合機、３：画像読取装置、１１：操作部、１２：表示部、１６：駆動回路、１９：片面読取モード設定部、２０：ＣＰＵ、２１：判定部、２２：制御部、２３：削除部、２４：ＲＯＭ、２５：ＲＡＭ、２６：デバイス制御部、２７、２８：画像処理部、２９：分類部、３０：読取部、４０：ＡＤＦ、４２：原稿トレイ、４３、４４：押圧部材、４５：搬送路、４７：排紙トレイ、６０：読取部、７０、７１、７２：原稿センサ、Ｆ：規定個数、Ｎ：規定枚数、Ｈ：読取領域、Ｋ：閾値
【図１】
0005278455.tif 000002
【図２】
0005278455.tif 000003
【図３】
0005278455.tif 000004
【図４】
0005278455.tif 000005
【図５】
0005278455.tif 000006
【図６】
0005278455.tif 000007
【図７】
0005278455.tif 000008
【図８】
0005278455.tif 000009